(57)【要約】【課題】建築物の配置場所に配慮することにより、造成地に微気候が効果的に形成され、防風効果の向上を図ることができる造成地の建築物配置方法を提供すること。【解決手段】微気候を有効利用した造成地の建築物配置方法であって、造成地１に住宅地５（低層建築物）を配置し、その住宅地５（低層建築物）の外側に風力抵抗の高い高層ビル６、高層マンション７（高層建築物）を配置し、造成地１は湖および海岸２近くに造成すること。【選択図】      図１
2004257046.tif 000002
【特許請求の範囲】
【請求項１】
微気候を有効利用した造成地の建築物配置方法であって、前記造成地に住宅等の低層建築物を配置し、その低層建築物の外側に高層建築物を配置することを特徴とする造成地の建築物配置方法。
【請求項２】
請求項１記載の造成地の建築物配置方法において、前記造成地の周辺に風力抵抗の高い高層建築物を配置することを特徴とする造成地の建築物配置方法。
【請求項３】
請求項１または２記載の造成地の建築物配置方法において、前記造成地は海岸近くに造成することを特徴とする造成地の建築物配置方法。
【請求項４】
請求項１〜３記載の造成地の建築物配置方法において、前記造成地は埋立地であることを特徴とする造成地の建築物配置方法。
【請求項５】
請求項１〜４記載の造成地の建築物配置方法において、前記低層建築物に隣接して塩害に強い常緑樹を植栽することを特徴とする造成地の建築物配置方法。
【発明の詳細な説明】
【０００１】
【発明の属する技術分野】
本発明は、微気候を有効利用した造成地の建築物配置方法に関し、特に造成地の防風効果に優れた技術に関する。
【０００２】
【背景技術】
従来、山林等を切り開いて造成地を造り、この造成地を複数に区画して宅地を分譲することが行われている。このような造成地としては、例えば、四方が道路に挟まれた平面矩形状のもので、複数の宅地間に緑地帯等を設けている造成地がある（例えば、特許文献１参照。）。この造成地によれば、緑地帯を設けることにより角地が増え、日当たりおよび風通しの良好な宅地を増やすことができる。
【０００３】
【特許文献１】
特開平１０−１９６１３６
【０００４】
【発明が解決しようとする課題】
しかしながら、上述した従来例においては、気候風土の違い、および建物の配置等の周辺環境には配慮されていない。また、近年では地球温暖化や二酸化炭素の増加等の環境問題が懸念されており、多くの樹木を伐採することは環境破壊に繋がることが問題となっている。この樹木には審美的な機能以外に周辺の気候を緩和し、快適で健康的な環境を形成する微気候の機能が知られているが、近年の住宅等の建物では、この微気候の効果的利用は図られていないのが現状である。
【０００５】
一方、海岸付近に造成地を造成することも行われているが、海岸付近の造成地では、海からの強風が吹くことが多いため、防風および塩害対策に配慮する必要性があった。特に、周辺が開かれた立地環境においては強風に吹きさらされることが大きな問題となっていた。したがって、造成地に微気候の効果的利用を図ることができ、また、造成地の気候特性に配慮して建物や住宅等の配置を行うことが、快適で健康的な生活環境を形成する上での重要な課題となっている。
【０００６】
本発明は、建築物の配置場所に配慮することにより、造成地に微気候が効果的に形成され、防風効果の向上を図ることができる造成地の建築物配置方法を提供することにある。
【０００７】
【課題を解決するための手段】
微気候を有効利用した造成地の建築物配置方法であって、造成地に住宅等の低層建築物を配置し、その低層建築物の外側に高層建築物を配置する方法を採用した。
【０００８】
このような本発明によれば、造成地に微気候が効果的に形成され、防風効果の向上を図ることができる上、風速をコントロールすることも可能となる。すなわち、低層建築物の外側に高層建築物を配置することで、造成地および低層建築物に対して季節風等の強風が吹き抜ける際、高層建築物直前の風上側に圧力旋風が形成され、造成地内および低層建築物に対しての風速を著しく減少させることができる。
【０００９】
また、この配置方法によれば、高層建築物を越えてすぐの風下側には吸引旋風が形成され、造成地内および低層建築物の上空には乱気流が形成されることで、主風向とは反対の風が上空から地上に向けて吹きおろされることとなる。したがって、造成地および低層建築物に対して風が直接吹き抜けることを抑え、防風効果を向上させることができ、造成地全体に快適な風環境を形成することができる。
【００１０】
前記造成地の周辺に風力抵抗の高い高層建築物を配置することが望ましい。このように配置した場合、造成地の防風効果を向上させることができる。すなわち、造成地周辺に高層建築物を配置することで、造成地に対して季節風等の強風が吹き抜ける際、高層建築物直前の風上側に圧力旋風が形成され、造成地内の風速を減少させることができる。
【００１１】
前記造成地は埋立地であることが望ましい。このようにした場合、高層建築物および住宅等の低層建築物の配置を容易に行うことができる。すなわち、さら地から造成を行うことができるため、造成計画に基づいて自由に造成を行うことができる。
【００１２】
前記造成地は海岸近くに造成することが望ましい。このように造成した場合、気温差の少ない温和な気候を形成することができる。すなわち、水は熱容量が大きいため水温の変化が少なく、年間を通して昼と夜の気温差を少なくすることができる。そのため、都市部などで多く見られるヒートアイランド現象は発生しにくくなり快適で健康的な生活環境が形成される。
【００１３】
前記低層建築物に隣接して塩害に強い常緑樹を植栽することが望ましい。このように植栽した場合、防風効果の向上を図ることができる。すなわち、低層建築物の近くに常緑樹を植栽することにより、吹きさらしと比較して風速を大幅に減衰させることができるため、快適な環境を形成することができる。また、塩害に強い常緑樹を植栽することにより、造成地が海岸付近であっても塩害による被害を最小限に抑えることが可能となる。
【００１４】
【発明の実施の形態】
以下、本発明の実施の形態について、図面を参照して説明する。
図１は造成地と風の関係を示す概略図であり、図２は造成地を示す平面図であり、図３は住宅と樹木の関係を示す正面図である。
この実施の形態では、本発明を造成地に適用する場合の例を示す。
【００１５】
これらの図において、造成地は全体として符号１で示す。この造成地１が例えば、千葉県浦安市の海岸で、海２を埋め立てて造成されている場合には、南および東側が海２に面していることで、海２からの影響を大きく受ける地域となる。気象データによれば、この造成地１は強風が吹き抜ける季節が多く、風速は５ｍ／Ｓ以上吹く日が各月とも５日以上ある。冬の季節風の風向は北北西で、夏季日中は南東の風が多く、夜間はそれより少し東側に変化する。夏の海水温度は気温よりも低いため、海２からの風は涼感が得られる。
【００１６】
造成地１内には複数の住宅３（低層建築物）および道路４が配置された住宅地５と、住宅地５の外側および周辺に高層ビル６、高層マンション７（高層建築物）が配置されている。この高層ビル６、高層マンション７は、風力抵抗が高くなるよう設計されている。これにより、住宅地５に微気候が効果的に形成され、防風効果の向上を図ることができる。
【００１７】
つまり、本発明によれば、住宅地５の外側に高層ビル６、高層マンション７を配置することで、造成地１および住宅地５に対して海２からの風Ｗが吹き抜ける際、高層ビル６直前の風上側８に圧力旋風Ａ（図１）が形成され、造成地１内および住宅地５に対しての風速を著しく減少させることができる。また、
この配置方法によれば、高層ビル６を越えてすぐの風下側９には吸引旋風Ｂ（図１）が形成され、海２からの風向とは正反対の高層ビル６側に向かう気流が発生する。
【００１８】
さらに、造成地１内および住宅地５の上空には乱気流Ｃ（図１）が発生するため、主風向とは反対の風が上空から地上に向けて吹きおろされることとなる。したがって、造成地１および住宅地５に対して風Ｗが直接吹き抜けることを抑え、防風効果の向上を図ることができ、造成地１全体に快適な生活環境を形成することができる。
【００１９】
また、この造成地１は海２に隣接して造成された埋立地であるため、気温差の少ない温和な気候を形成することができる。つまり、水は熱容量が大きいため水温の変化が少なく、年間を通して昼と夜の気温差を少なくすることができる。そのため、都市部などで多く見られるヒートアイランド現象は発生しにくくなり快適で健康的な生活環境を形成することができる。また、埋立地であるため、造成計画に基づいて自由に造成を行うことができ、微気候を有効利用するための高層ビル６、高層マンション７および住宅地５の配置を容易に行うことができる。
【００２０】
この造成地１には複数の樹木が植栽されており、樹種として塩害に強い常緑樹１０が植栽されている。図３に示すように、風Ｗが住宅３に対して吹き抜ける際、常緑樹１０が隣接して植栽されているため、風Ｗの風速を大幅に減少させることができるため、防風効果の向上および快適な生活環境を形成することができる。また、造成地１は海２付近に造成されているが、塩害に強い常緑樹１０を植栽することにより、塩害による被害を最小限に抑えることが可能となる。
【００２１】
尚、上述した実施形態では高層ビル６、高層マンション７の配置場所は図１および図２のようになっているが、これに限定されるものではなく、住宅地５の外側および周辺に風力抵抗の高い高層建築物が配置されていれば、他の形態とすることもできる。例えば、学校の校舎やアミューズメント施設等を配置することも可能である。
【００２２】
また、本実施形態によれば、千葉県浦安市を例としているが、これに限定されるものではなく、他の地域（造成地）で実施することも可能である。すなわち、本発明は建築物の配置方法であり、微気候を有効利用することで、快適な生活環境と資源エネルギーの削減を図ることを目的としている。したがって、この目的を達成できる建築物の配置方法であれば、他の地域（造成地）で行うことができる。
【００２３】
【発明の効果】
以上のように、本発明によれば、造成地１に住宅地５を配置し、その住宅地５の外側に風力抵抗の高い高層ビル６、高層マンション７を配置し、造成地１を海岸２近くに造成し、造成地１および住宅３に塩害に強い常緑樹１０を植栽することで、造成地に微気候が効果的に形成され、防風効果の向上および快適な生活環境を形成することができる。
【図面の簡単な説明】
【図１】本発明の実施形態に係る造成地と風の関係を示す概略図のである。
【図２】本発明の実施の形態に係る造成地の平面図である。
【図３】本発明の実施の形態に係る住宅と樹木の関係を示す正面図である。
【符号の説明】
１    造成地
２    海
３    住宅
４    道路
５    住宅地
６    高層ビル
７    高層マンション
８    風上側
９    風下側
１０  常緑樹
Ａ    圧力旋風
Ｂ    吸引旋風
Ｃ    乱気流
Ｗ    風
【図１】
2004257046.tif 000003
【図２】
2004257046.tif 000004
【図３】
2004257046.tif 000005